(57)【特許請求の範囲】
【請求項１】
第１金属板に少なくとも内側面の一部が円弧に沿って湾曲する円筒状内壁面となった挿通孔が穿設され、第２金属板の接触部を前記挿通孔に挿通し、第１金属板と第２金属板を相対位置決めすると共に、円筒状内壁面に前記接触部を接触させて第１金属板と第２金属板間を電気接続する金属板間の接続構造であって、
前記接触部は、円筒状内壁面より小さい曲率で円筒状内壁面と同方向に湾曲する湾曲ブレード板で形成され、
湾曲ブレード板を湾曲方向に弾性変形させながら挿通孔内に圧入し、湾曲する外周面の両側縁に沿ったエッジをそれぞれ円筒状内壁面に圧接させることを特徴とする金属板間の接続構造。
【請求項２】
前記外周面の両側縁に沿った一対のエッジの少なくともその一部は、湾曲ブレード板が前記挿通孔を挿通する挿通方向に沿った基端側から先端側に向かって前記外周面が細幅となるテーパー状に形成されることを特徴とする請求項１に記載の金属板間の接続構造。
【請求項３】
湾曲ブレード板は、平板状の金属板を板厚方向に打ち抜いて形成され、打ち抜かれて破断面となった両側の側端面と前記外周面の境界にエッジが形成されることを特徴とする請求項２に記載の金属板間の接続構造。
【請求項４】
第２金属板は、前記挿通孔へ湾曲ブレード板を前記基端まで圧入した際に、第１金属板の前記挿通孔の周囲に当接するストッパー片を備えていることを特徴とする請求項２又は請求項３のいずれか１項に記載の金属板間の接続構造。
【請求項５】
湾曲ブレード板の基端近傍の前記側端面に、前記挿通孔の周囲の第１金属板が嵌合する凹溝が凹設されることを特徴とする請求項３に記載の金属板間の接続構造。
【請求項６】
第１金属板は、車載用のバッテリーの電極に溶接で接続されるバスバーであり、第２金属板は、バスバーと回路基板のパターンとを電気接続し、バッテリーの充電情報を前記回路基板のパターンへ出力するジャンパープレートであることを特徴とする請求項１乃至５のいずれか１項に記載の金属板間の接続構造。
【請求項７】
前記挿通孔は、バスバーとジャンパープレートを共締めするネジが挿通自在の輪郭が円形の挿通孔であることを特徴とする請求項６に記載の金属板間の接続構造。
【発明の詳細な説明】
【技術分野】
【０００１】
本発明は、第１金属板の挿通孔へ第２金属板の接触部を挿通して、第１金属板と第２金属板を相対位置決めすると共に第１金属板と第２金属板間を電気接続する金属板間の接続構造に関する。
【背景技術】
【０００２】
車載用として用いられる多数のバッテリー（セル）１１０間を並列接続や直列接続する場合には、図１１に示すように、バッテリー１１０の電極に溶接して接続する金属板からなるバスバー２を介して隣り合うバッテリー１１０間を電気接続している。このようにバスバー２は、各バッテリー１１０の電極や隣り合うバッテリー１１０の電極間に接続され、バスバー２から各バッテリー１１０の充電電圧やバッテリー１１０間を流れる電流値が得られるので、バスバー２に金属板からなるジャンパープレート１０２を電気接続し、ジャンパープレート１０２を介してバスバー２をバッテリー１１０の電圧や電流の状態を監視するセンサーやセンサーが実装された回路基板１１１のパターンへ電気接続している。
【０００３】
このようなバスバー２とジャンパープレート１０２との接続は、バスバー２に高い電流が流れ、高い接触抵抗で電気接続すると発熱の危険があり、また、車両に搭載されて長期間の振動を受けやすいので、相互を高い接触圧で強固に固定する必要があり、従来の両者の接続構造１００は、バスバー２とジャンパープレート１０２にそれぞれ同一の輪郭の挿通孔を穿設しておき、バスバー２とジャンパープレート１０２を積層させて同軸で連通する挿通孔にボルト１０３やねじを挿通して、ナット１０４との間で両者を共締めし、相互を強固に固定すると共に、高い接触圧で電気接続している（特許文献１、２）。
【先行技術文献】
【特許文献】
【０００４】
【特許文献１】特開２０１１−２０８５９９号公報
【特許文献２】特開２０１５−１１８４４号公報
【発明の概要】
【発明が解決しようとする課題】
【０００５】
しかしながら、バスバー２とジャンパープレート１０２をボルト１０３とナット１０４を用いて共締めする従来の金属板間の接続構造１００は、相互に接続する為にボルト１０３とナット１０４の締め付け部品が必要となり、また、ねじ止めする余分な工程が生じ、加工費が増加する。
【０００６】
特に図１１に示すように、バッテリー１１０とその近傍に配置される回路基板１１１との間の狭い隙間でのボルト１０３とナット１０４を用いたねじ止め作業が困難な場合がある。また、車両に搭載される金属板２、１０２間の接続を、ボルト１０３とナット１０４との締め付け加工で行うと、長期間の振動を受けて締め付けが緩み、金属板２、１０２間の電気接続が切断されたり、切断しないまでも接触抵抗が上昇し発熱する危険が生じる。
【０００７】
更に、バスバー２とジャンパープレート１０２の挿通孔を同軸で連通させて、ボルトやねじを挿通させるので、バスバー２とジャンパープレート１０２に位置ずれが生じると、ボルトやねじを挿通させることができず、共締めすることができない。
【０００８】
また、一方の金属板であるバスバー２は、バッテリー１１０の電極に溶接して接続するために、その表面にメッキ処理がされず、ジャンパープレート１０２との接触面に酸化皮膜が形成されやすいので、接触抵抗が増大して接続信頼性が損なわれる。特に、車載用として高温、多湿下の環境におかれるバスバー２やジャンパープレート１０２は、接触面に酸化皮膜が生じやすく、接触抵抗が増大しやすい。
【０００９】
一方、このように一部を溶接しない金属板は、通常接触部が酸化皮膜で覆われることなく接触の信頼性を高めるために、導電性のメッキ皮膜で覆われている。接触部がメッキ皮膜で覆われた金属板と他方の金属板との接続構造では、メッキ皮膜が破断するような圧接接続構造をとることができないので、金属板の一方に弾性変形するバネ片を形成し、バネ片の弾力で接触部を弾性接触させ、接触抵抗が低い電気接続を行っている。しかしながら、このように金属板の一方の弾性変形のみで相手側の金属板と接触させる接続構造を車載用の金属板間の接続に採用すると、接触圧が低いので、車両などから大きな振動を受けると瞬断しやすく、更に長期間の継続的な振動で接触部が摩耗し、メッキ皮膜の下地や金属板が露出して接触部が酸化皮膜で覆われる恐れがあった。
【００１０】
本発明は、このような従来の問題点を考慮してなされたものであり、簡単な圧入工程で余分な接続部品を用いずに、２枚の金属板の相互を位置決めするとと共に電気接続する金属板間の接続構造を提供することを目的とする。
【００１１】
また、２枚の金属板間に位置ずれがあっても、２枚の金属板間を強固に接続し、振動を受けても接続が外れない金属板間の接続構造を提供することを目的とする。
【００１２】
更に、２枚の金属板間が接触する接触面が外気に触れずに酸化皮膜で覆われることがなく、長期間高い接触信頼性が得られる金属板間の接続構造を提供することを目的とする。
【課題を解決するための手段】
【００１３】
上述の目的を達成するため、請求項１に記載の金属板間の接続構造は、第１金属板に少なくとも内側面の一部が円弧に沿って湾曲する円筒状内壁面となった挿通孔が穿設され、第２金属板の接触部を挿通孔に挿通し、第１金属板と第２金属板を相対位置決めすると共に、円筒状内壁面に接触部を接触させて第１金属板と第２金属板間を電気接続する金属板間の接続構造であって、
接触部は、円筒状内壁面より小さい曲率で円筒状内壁面と同方向に湾曲する湾曲ブレード板で形成され、湾曲ブレード板を湾曲方向に弾性変形させながら挿通孔内に圧入し、湾曲する外周面の両側縁に沿ったエッジをそれぞれ円筒状内壁面に圧接させることを特徴とする。
【００１４】
湾曲ブレード板は、一対のエッジがそれぞれ円筒状内壁面に圧接するので、エッジが円筒状内壁面に食い込み、高い接触圧で両者か接触すると共に、接触面に酸化皮膜が生じていても、酸化皮膜を破壊し、圧接後は、エッジが円筒状内壁面に食い込み、接触面が外気に触れず酸化皮膜が形成されないので、高い接触の信頼性が得られる。
【００１５】
また、弾性変形する湾曲ブレード板がエッジを円筒状内壁面との圧接位置の方向へ付勢するので、高い接触圧で接触し、第１金属板と第２金属板が低い接触抵抗で電気接続する。
【００１６】
更に、弾性変形する湾曲ブレード板がエッジを円筒状内壁面の圧接位置の方向へ付勢するので、振動を受けても、圧接位置がずれることがなく、第１金属板と第２金属板が強固に相対位置決めされる。
【００１７】
第１金属板と第２金属板が円筒状内壁面の中心軸周りで位置ずれが生じていても、一対のエッジが圧接する円筒状内壁面の圧接位置間の距離は変化せず、第１金属板と第２金属板は相対位置決めされると共に、相互が電気接続する。
【００１８】
請求項２に記載の金属板間の接続構造は、外周面の両側縁に沿った一対のエッジの少なくともその一部が、湾曲ブレード板が挿通孔を挿通する挿通方向に沿った基端側から先端側に向かって外周面が細幅となるテーパー状に形成されることを特徴とする。
【００１９】
テーパー状に形成される一対のエッジが交わる角度を変化させることにより、湾曲ブレード板を挿入孔へ挿通する挿入力や、エッジと円筒状内壁面との接触面積を調整できる。
【００２０】
一対のエッジがテーパー状に形成されているので、挿通孔への圧入深さを調整して、一対のエッジが圧接する円筒状内壁面の圧接位置を変化させることにより、第１金属板と第２金属板間の位置ずれを吸収できる。
【００２１】
請求項３に記載の金属板間の接続構造は、湾曲ブレード板が、平板状の金属板を板厚方向に打ち抜いて形成され、打ち抜かれて破断面となった両側の側端面と外周面の境界にエッジが形成されることを特徴とする。
【００２２】
プレス加工で打ち抜かれた破断面は、酸化されていないので、円筒状内壁面との接触面に酸化皮膜が介在しない。
【００２３】
また、金属板を板圧方向に打ち抜いた破断面と外周面はほぼ直角に交差し、その境界となるエッジには湾曲面がないので、円筒状内壁面やその表面に形成される酸化皮膜を突き破りやすく、確実に圧接する。
【００２４】
請求項４に記載の金属板間の接続構造は、第２金属板が、挿通孔へ湾曲ブレード板を基端まで圧入した際に、第１金属板の挿通孔の周囲に当接するストッパー片を備えていることを特徴とする。
【００２５】
エッジの基端が円筒状内壁面に圧接した状態でストッパー片が第１金属板に当接する。
【００２６】
また、湾曲ブレード板が予期しない外力や振動を受けても、挿通孔内に落下することがない。
【００２７】
請求項５に記載の金属板間の接続構造は、湾曲ブレード板の基端近傍の側端面に、挿通孔の周囲の第１金属板が嵌合する凹溝が凹設されることを特徴とする。
【００２８】
湾曲ブレード板は、基端から先端に向かって細幅に形成されるように一対のエッジがテーパー状に形成されているので、円筒状内壁面が凹溝に達するまで湾曲ブレード板を挿通孔内に圧入すると、挿通孔の周囲の第１金属板が凹溝に入り込んで嵌合し、凹溝の縁のエッジが円筒状内壁面に圧接する。
【００２９】
請求項６に記載の金属板間の接続構造は、第１金属板が、車載用のバッテリーの電極に溶接で接続されるバスバーであり、第２金属板が、バスバーと回路基板のパターンとを電気接続し、バッテリーの充電情報を回路基板のパターンへ出力するジャンパープレートであることを特徴とする。
【００３０】
円筒状内壁面が酸化皮膜で覆われていても、湾曲ブレード板のエッジが酸化皮膜や円筒状内壁面の表面を破断してバスバーに圧接するので、バスバーとジャンパープレートが確実に電気接続する。
【００３１】
また、エッジは、円筒状内壁面に圧接するとともに、その圧接位置に向かって湾曲ブレード板の弾性変形より付勢されるので、圧接位置が変化せず、バスバーとジャンパープレートが確実に相対位置決めされる。
【００３２】
また、圧接接続すると共に高い接触圧でエッジと円筒状内壁面が接触するので、低接触抵抗でバスバーとジャンパープレートが接触する。
【００３３】
請求項７に記載の金属板間の接続構造は、挿通孔が、バスバーとジャンパープレートを共締めするネジが挿通自在の輪郭が円形の挿通孔であることを特徴とする。
【００３４】
ねじ止めしてジャンパープレートと共締めされるバスバーの構造を変えることなく、湾曲ブレード板のエッジを、ネジを挿通可能な挿通孔の円筒状内壁面に圧接し、バスバーとジャンパープレートとを電気接続できる。
【００３５】
挿通孔は、円形の輪郭であるので、湾曲ブレード板を円形の中心周りのいずれの方向から挿通孔内に圧入しても、一対のエッジが円筒状内壁面に確実に圧接する。
【発明の効果】
【００３６】
請求項１の発明によれば、湾曲ブレード板は、圧接接続と湾曲する自らの弾性で円筒状内壁面に高い接触圧で接触し、低い接触抵抗で電気接続することができる。
【００３７】
また、湾曲ブレード板のエッジが円筒状内壁面に食い込んで圧接接続するので、圧接位置の接触面は外気に触れず、酸化皮膜が形成されないので、耐久性に優れた接触状態を維持する。
【００３８】
更に、湾曲ブレード板は、湾曲方向に撓み、弾性変形してエッジを円筒状内壁面との圧接位置へ付勢するので、長期間振動を受けても圧接位置が移動せず、第１金属板と第２金属板は相対位置決めされる。
【００３９】
また、円筒状内壁面の中心軸周りで第１金属板と第２金属板の位置ずれが生じていても、第１金属板と第２金属板は相対位置決めされると共に相互が電気接続する。
【００４０】
請求項２の発明によれば、テーパー状に形成される一対のエッジが交わる角度を変えて、湾曲ブレード板の挿入孔への挿入力や、エッジと円筒状内壁面との接触面積を調整できる。
【００４１】
また、円筒状内壁面の中心軸から湾曲ブレード板までの距離は、湾曲ブレード板の挿通孔への圧入深さに応じて変化するので、第１金属板と第２金属板間の位置ずれを、湾曲ブレード板の中心軸周りの回転位置と挿通孔へ挿通させる深さを調整して吸収できる。
【００４２】
請求項３の発明によれば、エッジの近傍で円筒状内壁面に接触する両側の側端面に酸化皮膜が形成されないので、低接触抵抗で両者が確実に接触する。
【００４３】
また、エッジに湾曲面が形成されないので、軽操作力でエッジを円筒状内壁面へ圧接できる。
【００４４】
請求項４の発明によれば、湾曲ブレード板の挿通孔への過剰な圧入を防止できる。
【００４５】
また、湾曲ブレード板が不用意に挿通孔内に落下することを防止できる。
【００４６】
請求項５の発明によれば、挿通孔の周囲の第１金属板が凹溝に入り込んで嵌合する振動から、湾曲ブレード板を挿通孔内に圧入し、エッジを円筒状内壁面へ圧接させる圧入工程の終了を知ることができる。
【００４７】
また、挿通孔の周囲の第１金属板が凹溝に入り込んで嵌合し、第１金属板と第２金属板の湾曲ブレード板が挿通孔への挿通方向に相対的に位置決めされ、不用意な外力や振動を受けても挿通孔から湾曲ブレード板が脱落することがない。
【００４８】
請求項６の発明によれば、バスバーの一部が溶接され、車両内の高温、多湿の環境下で円筒状内壁面が酸化皮膜で覆われていても、湾曲ブレード板のエッジが酸化皮膜や円筒状内壁面の表面を破断し、バスバーに圧接するので、バスバーとジャンパープレートが確実に電気接続する。
【００４９】
また、湾曲ブレード板のエッジは、円筒状内壁面に圧接するとともに、その圧接位置に向かって湾曲ブレード板の弾性変形より付勢されるので、高い接触圧で円筒状内壁面に接触し、長期間車両の振動を受けても圧接位置がずれることがなく、バスバーとジャンパープレートが長期間確実に相対位置決めされる。
【００５０】
また、圧接接続すると共に高い接触圧でエッジと円筒状内壁面が接触するので、低接触抵抗でバスバーとジャンパープレートが電気接続し、バスバーに大電流が流れても発熱による危険が生じない。
【００５１】
請求項７の発明によれば、バスバーは、ネジ止め方式の構造と変わらないので、従来のネジ止め用の部品としてのバスバーを兼用できる。
【００５２】
また、円形の挿通孔の中心周りでバスバーとジャンパープレート間に位置ずれが生じていても、位置ずれの方向にかかわらず、湾曲ブレード板の一対のエッジは挿通孔の円筒状内壁面に確実に圧接する。
【図面の簡単な説明】
【００５３】
【図１】本願発明の一実施の形態に係る金属板間の接続構造１の正面図である。
【図２】湾曲ブレード板３を挿通孔７へ圧入して接続した状態を挿通孔７の表面に沿って切断して示す横断面図である。
【図３】図２の要部拡大図である。
【図４】湾曲ブレード板３を挿通孔７へ圧入する工程を示す一部縦断側面図である。
【図５】湾曲ブレード板３を挿通孔７へ圧入する工程を示す一部縦断正面図である。
【図６】ジャンパープレート５の斜視図である。
【図７】ジャンパープレート５の側面図である。
【図８】ジャンパープレート５の底面図である。
【図９】ジャンパープレート５の正面図である。
【図１０】バスバー２の斜視図である。
【図１１】従来の金属板間の接続構造１００を示す正面図である。
【発明を実施するための形態】
【００５４】
本発明の一実施の形態に係る金属板間の接続構造１は、図１１に示す車載用のバッテリー（セル）１１０の電極を、電圧や電流を監視する監視回路が実装された回路基板１１１のパターンへ接続する目的で、その間に用いられるバスバー２とジャンパープレート５とを接続する接続構造である。すなわち、バッテリー（セル）１１０の電極に溶接で接続するバスバー２と回路基板１１１のパターンに半田接続するジャンパープレート５とを、相対的に位置決め固定すると共に、相互を電気接続する。このうちバスバー２は、下記のように、従来の接続構造１００で使用されるバスバー２の形状を変更することなく、そのまま兼用するので、本実施の形態では図１１に示す番号と同一番号を付している。
【００５５】
一方の金属板であるバスバー２は、燐青銅等からなる厚さ０．８ｍｍの１枚の導電性金属板をプレス成形で図１０に示す形状に加工したもので、隣り合うバッテリー１１０の電極にそれぞれ溶接で接続される長方形の溶接接続部２１、２１と、溶接接続部２１、２１間に跨設された長方形の基台部２２と、基台部２２の背面側で起立する背面板部２３により基台部２２と平行に水平に支持される接続板部２４と、接続板部２４の両側から垂設され、接続板部２４を水平に維持する側板２５、２５を一体に備えている。接続板部２４の中央には、ボルト１０３を挿通させてジャンパープレート１０２と共締めする（図１１参照）為の直径４．６ｍｍの円形の挿通孔７が穿設されている。本実施の形態では、この挿通孔７を利用してジャンパープレート５を接続するので、従来のボルト１０３を用いた接続構造１００で使用されるバスバー２を兼用する。
【００５６】
また、他方の金属板であるジャンパープレート５も、導電性と弾性に優れた燐青銅からなる金属板をプレス加工して形成され、図６乃至図９に示すように、回路基板１１１（図１１参照）のスルーホールに挿入され、回路基板１１１のパターンに半田付けされる半田接続片５３と、連結板５１を挟み半田接続片５３の他側で、バスバー２の挿通孔７に挿通してバスバー２に接触する接触部となる湾曲ブレード板３と、湾曲ブレード板３の基端側の上方で水平に突設された一対のストッパ片４、４を備えている。
【００５７】
湾曲ブレード板３は、全体がバスバー２の挿通孔７の円形の曲率より緩やかな曲率の円弧に沿って湾曲して形成され（図３参照）、その湾曲方向に沿った水平方向幅は、基端側（図７の上方側）の基端部３１が最も幅広で、基端部３１から挿通孔７に挿通する挿通方向（図７の上下方向）に沿って先端側に向かって徐々に細幅となるテーパー状に形成されている。
【００５８】
湾曲ブレード板３は、円弧に沿って湾曲した状態でバスバー２の挿入孔７に圧入されるので、湾曲する外側の外周面３ａと、金属板を打ち抜いて破断面となった左右両側の側端面３ｂ、３ｂとが直角に交差する境界が、挿通孔７の円筒状内側面７ａに圧接するエッジ３０となり、同様に一対のエッジ３０、３０は、先端側に向かって細幅となるテーパー状となる。湾曲ブレード板３が更に湾曲方向に撓みながら、エッジ３０が確実に円筒状内側面７ａに圧接するように、水平方向幅が最も幅広の基端部３１の両側のエッジ３０、３０間の距離は、少なくとも挿通孔７の直径より長くなっている。
【００５９】
また、基端部３１より下方のテーパー状とする一対のエッジ３０、３０の交差角αを適宜調整することにより、湾曲ブレード板３を挿通孔７へ圧入する押圧操作力や円筒状内側面７ａとの接触面積を調整できる。すなわち、交差角αを小さくすれば、低い押圧操作力で湾曲ブレード板３を挿通孔７内に圧入することでき、円筒状内側面７ａとの接触面積も拡大するが、湾曲ブレード板３の挿入方向の長さが長くなり、接続構造１全体が大型化する。一方、湾曲ブレード板３を低背化させるように交差角αを大きくすると、挿通孔７へ圧入する押圧操作力が増すと共に圧入した後も抜け止め手段を講じないと挿通孔７から抜け出やすい。
【００６０】
本実施の形態では、基台部２２上の挿通孔７の高さと挿通孔７の直径が既定値となっている既存のバスバー２を兼用するので、一対のエッジ３０、３０の交差角αを、挿通孔７に圧入した湾曲ブレード板３の先端が基台部２２に当接しない一定の角度以上で、圧入する押圧操作力が高くならない４５度以下の範囲で任意に設定する。
【００６１】
図７に示すように、基端部３１の両側のエッジ３０、３０間の距離は一定であるが、基端部３１の更に基端寄（上方寄）の左右両側の側端面３ｂ、３ｂには、挿入方向幅が挿通孔７の周囲の接続板部２４の板厚０．８ｍｍよりわずかに幅広の凹溝３２、３２が凹設されている。従って、湾曲ブレード板３を挿入孔７内に圧入し、挿入孔７の円筒状内側面７ａが凹溝３２まで達すると、挿入孔７の周囲の接続板部２４が凹溝３２内に落ち込んで凹溝３２に嵌合し、湾曲ブレード板３は、挿入孔７から上方に対して抜け止めされる。同時に、凹溝３２の内底面である側端面３ｂと外周面３ａの境界にもエッジ３０が形成されているので、凹溝３２に嵌合した後もエッジ３０が円筒状内側面７ａを圧接する。
【００６２】
一対のストッパー片４、４は、湾曲ブレード板３と同一の曲率で、凹溝３２の上端を画し、凹溝３２の上方に連続して水平に突設されている。従って、挿入孔７の周囲の接続板部２４が凹溝３２に嵌合いた後、更に湾曲ブレード板３を挿入孔７へ圧入しようとすると、接続板部２４の平面（上面）がストッパー片４の底面に当接し、過剰な圧入や挿入孔７内への落下が防止される。
【００６３】
以下、上述のように構成されたバスバー２にジャンパープレート５を接続する接続工程を説明する。バスバー２の両側の溶接接続部２１は、車載用の隣り合うバッテリー１１０の電極に溶接にされてバッテリー１１０に接続され、ジャンパープレート５は、半田接続片５３が回路基板１１１のパターンに半田付けされ、それぞれバッテリー側と回路基板１１１側に固定されているものとするが、これらの接続の図示は省略する。
【００６４】
図４、図５に示すように、バスバー２とジャンパープレート５との接続は、バスバー２の円形の挿入孔７へジャンパープレート５の湾曲ブレード板３を上方から挿入する。湾曲ブレード板３の両側のエッジ３０、３０は、先細りのテーパー状となった左右両側の側端面３ｂに沿って形成されているので、挿通孔７へ挿入する当初は円筒状内側面７に接しない。
【００６５】
湾曲ブレード板３を一定の深さまで挿入すると、エッジ３０が円筒状内側面７に接触するが、円筒状内側面７に食い込むまでの接触圧はなく、更なる挿入でエッジ３０、３０間の距離が広がるのに応じてエッジ３０、３０の接触位置間の距離が広がる方向に接触位置が移動する。エッジ３０、３０の接触位置間の距離の上限は、挿入孔７の直径であるので、湾曲ブレード板３の挿入に伴って、接触位置間を結ぶ直線が挿入孔７の中心を通過する前に、接触圧が増大してエッジ３０、３０が円筒状内側面７ａに食い込み、エッジ３０の円筒状内側面７への圧接が始まる。
【００６６】
圧接後、湾曲ブレード板３を更に下方へ圧入しても、エッジ３０、３０の接触位置（圧接位置）は変化せず、テーパー状となったエッジ３０、３０間の水平方向幅が増加するだけなので、湾曲ブレード板３は圧接位置からの反力を受けて湾曲方向に更に撓み、エッジ３０が円筒状内側面７ａに食い込む圧接位置では、エッジ３０、３０間の水平方向幅の増加による接触圧に、湾曲する湾曲ブレード板３からの弾力が加わった大きな圧接力で円筒状内側面７ａに食い込む。
【００６７】
圧接位置が湾曲ブレード板３の基端部３１に達すると、湾曲ブレード板３を圧入してもエッジ３０、３０間の水平方向幅が一定であるので、圧接力は変化せず、更に湾曲ブレード板３を圧入すると、図２、図３に示すように、挿入孔７の周囲の接続板部２４が凹溝３２内に落ち込んで凹溝３２に嵌合し、湾曲ブレード板３は、挿入孔７から上方に対して抜け止めされる。
【００６８】
接続板部２４が凹溝３２に嵌合した後も、湾曲ブレード板３を下方へ圧入しようとすると、ストッパー片４が接続板部２４の平面に当接し、更なる下方への圧入が規制される。すなわち、接続板部２４が凹溝３２に嵌合する状態で、バスバー２とジャンパープレート５との接続工程が完了し、圧入作業を行う操作者は、接続板部２４が凹溝３２に落ち込む際の振動で接続工程が完了したことを知ることができる。
【００６９】
図３に示すよう、接続板部２４が凹溝３２に嵌合しているバスバー２とジャンパープレート５の接続状態であっても、上述したように、凹溝３２の内底面である側端面３ｂと外周面３ａの境界にエッジ３０が形成され、両側の側端面３ｂ、３ｂから反力を受けて湾曲ブレード板３は、当初の湾曲形状から更に大きな曲率で湾曲しているので、エッジ３０、３０の圧接位置には、湾曲ブレード板３の弾力が加わった大きな圧接力が作用している。従って、湾曲ブレード板３が予期しない外力や振動を受けても、円筒状内側面７ａの圧接位置からエッジ３０が外れることがなく、バスバー２とジャンパープレート５は相互に強固に固定される。
【００７０】
また、バスバー２は、溶接接続部２１を溶接するので、接触信頼性を高めるメッキ被膜を湾曲ブレード板３が接触する円筒状内側面７ａへ形成することができないが、高い圧接力でエッジ３０や側端面３ｂが円筒状内側面７ａ内に食い込んでバスバー２の素材に直接接触するので、その間に酸化皮膜が形成されることがなく、低接触抵抗の高い接触信頼性でバスバー２とジャンパープレート５の相互が電気接続する。
【００７１】
また、湾曲ブレード板３の接続工程前に湾曲ブレード板３や円筒状内側面７ａの表面に酸化皮膜が形成されていても、高い圧接力でエッジ３０が酸化皮膜を破り、同様に高い接触信頼性で電気接続する。
【００７２】
上述の湾曲ブレード板３の挿通孔７の円筒状内側面７ａへの圧接作用は、挿通孔７の中心軸周りの湾曲ブレード板３の方向に依存しない。つまり、挿通孔７の中心軸周りの湾曲ブレード板３の位置ずれが生じていても、その位置ずれと無関係に湾曲ブレード板３を円筒状内側面７ａへ圧接できる。
【００７３】
上述の実施の形態では、湾曲ブレード板３を圧入する挿通孔７が円形の輪郭である例で説明したが、少なくとも一部の内側面が円弧に沿って湾曲する内側面であれは、両側が半円形の輪郭の長孔や楕円形の輪郭等他の挿通孔であっても本発明を適用できる。
【００７４】
また、上述の実施の形態では、湾曲ブレード板３の両側縁の一部をテーパー状としたが、湾曲する外周面の両側縁のエッジが円筒状内側面を圧接する形状であれば、種々の形状とすることができる。
【００７５】
上述の実施の形態は、車載用のバッテリーと回路基板を接続する２種類の金属板間の接続構造で説明したが、２種類の金属板の用途は限らず、圧接接続が可能な導電材料で構成される金属板であれば本発明を適用できる。
【産業上の利用可能性】
【００７６】
な金属板間の接続構造に適している。
【符号の説明】
【００７７】
１  金属板間の接続構造
２  バスバー（第１金属板）
３  湾曲ブレード板（接触部）
３ａ  外周面
３ｂ  側端面
４  ストッパー片
５  ジャンパープレート（第２金属板）
７  挿通孔
７ａ  円筒状内側面
３０  エッジ
３２  凹溝
【図１】
0006503781.tif 000002
【図２】
0006503781.tif 000003
【図３】
0006503781.tif 000004
【図４】
0006503781.tif 000005
【図５】
0006503781.tif 000006
【図６】
0006503781.tif 000007
【図７】
0006503781.tif 000008
【図８】
0006503781.tif 000009
【図９】
0006503781.tif 000010
【図１０】
0006503781.tif 000011
【図１１】
0006503781.tif 000012